(57)【特許請求の範囲】
【請求項１】
画像形成部の操作部と、
前記操作部を回動可能に保持するとともに、画像形成装置本体に回動可能に保持される中間ヒンジを備え、
前記中間ヒンジには、前記中間ヒンジに対する前記操作部の回動の軸線に沿って第１の中空穴を設けると共に、
前記画像形成装置本体に対する前記中間ヒンジの回動の軸線に沿って第２の中空穴を設け、
前記第２の中空穴及び前記第１の中空穴を介して、前記画像形成装置本体から前記操作部へ信号伝達ハーネスを通し、
前記中間ヒンジの前記第２の中空穴の縁部の一部を切り欠き、前記画像形成装置本体側の部材の前記第２の中空穴に対応する中空穴の一部を切り欠き、前記一対の切り欠きの位置を、該一対の部材の通常の回動領域では一致することのないように配置したことを特徴とする画像形成装置。
【発明の詳細な説明】
【技術分野】
【０００１】
本発明は、複写機、ファクシミリ、プリンタ、これらの複合機等の画像形成装置に関する。
【背景技術】
【０００２】
この種の画像形成装置に用いられる操作部はアプライアンス性向上のためチルト機構を備えたものがある。操作部には信号ハーネスが不可欠であり、チルト機構のヒンジ部では、操作部をチルトした場合でも信号ハーネスが引っ張られたり、たるんだハーネスがヒンジ部の回動を妨げない様、ハーネスのたるみを吸収するスペースを設けたものが既に知られている。
【０００３】
しかし、従来の操作部の構成では、ハーネスのたるみを吸収するスペースを必要とする問題があった。特許文献１には、操作部の視認性を向上する目的で、操作部を回動可能に保持する構成が開示されている。しかし、操作部のハーネスのたるみを吸収するスペースが必要という問題は解消できていない。
【発明の概要】
【発明が解決しようとする課題】
【０００４】
本発明は、操作部のハーネスを効率良く這い回すことができる画像形成装置を提供することを目的とする。
【課題を解決するための手段】
【０００５】
本発明の請求項１に係る画像形成装置は、画像形成部の操作部と、
前記操作部を回動可能に保持するとともに、画像形成装置本体に回動可能に保持される中間ヒンジを備え、
前記中間ヒンジには、前記中間ヒンジに対する前記操作部の回動の軸線に沿って第１の中空穴を設けると共に、
前記画像形成装置本体に対する前記中間ヒンジの回動の軸線に沿って第２の中空穴を設け、
前記第２の中空穴及び前記第１の中空穴を介して、前記画像形成装置本体から前記操作部へ信号伝達ハーネスを通し、
前記中間ヒンジの前記第２の中空穴の縁部の一部を切り欠き、前記画像形成装置本体側の部材の前記第２の中空穴に対応する中空穴の一部を切り欠き、前記一対の切り欠きの位置を、該一対の部材の通常の回動領域では一致することのないように配置したことを特徴とする。
【図面の簡単な説明】
【００１２】
【図１】本発明の実施例を示す図
【発明を実施するための形態】
【００１３】
本発明は、画像形成装置の操作部保持機構、具体的な例で言えば画像形成装置の操作部チルト機構における、ハーネスの這い回しに際して、操作部の回動中心上にハーネスをはいまわすようにして、操作部を回動させた際にもハーネス経路長を変化させることなくハーネスをはいまわすことができるようにするものである。
【実施例】
【００１４】
以下、本発明の実施例について説明する。
図１は、画像形成装置１（どのようなものでも本発明を適用できるので、具体的な図示は省略する）に回動可能に設ける操作部２の二軸チルトのヒンジ機構について説明する斜視図である。
【００１５】
図中３は画像形成装置本体４側に設けた板状の保持部材で、操作部２を設ける側に向く先端側に、操作部２を回動可能に保持するための切り欠き開口５を備えている。切り欠き開口５には図１（Ａ）で示すように外ネジ付きの貫通軸６を設けてある。
【００１６】
また操作部２と保持部材３の間に介在する中間ヒンジ７は、保持部材３に対して取り付けるためのベロ状の突片部７ａを備え、該部分に切り欠き開口８を形成してある。
さらに中間ヒンジ７は、チャンネル状に曲折した部分７ｂを有し、両端のフランジ部７ｃには、操作部７に設けた一対のヒンジへ回転可能に取り付けるための中空軸部９ａ、９ｂが同一の向き（図示の例では左側に）向けて設けてある。中空軸部９ａはフランジ部７ｃの外側に突出し、図中右側の中空軸部９ｂはフランジ部７ｃの内側に突出している。
【００１７】
また操作部２には、中間ヒンジ７を受け入れるためのヒンジ１０、１０がそれぞれ中空穴１０ａを備えて一対形成してあり、中空穴１０ａに中間ヒンジ７の中空軸部９ａ、９ｂを受け入れて貫通させるようにしてある。
【００１８】
なお図中１２はボルト、１３はワッシャで、中間ヒンジ７の中空軸部９ａや、保持部材３の外ネジ付きの貫通軸６を固定するように設けてある。
【００１９】
この装置における操作部２のチルト機構としては、装置本体４側に設けられ、回動中心となる軸により中間ヒンジ７が回動可能に保持され、操作部２に設けられたヒンジ１０、１０と中間ヒンジ７の中空軸部９ａ、９ｂの嵌合により中間ヒンジ７も回動可能に保持され、全体として画像形成装置１に対して操作部２は上下方向、左右方向に自由に回動できるようになっており、さらに回動中心となる軸が中空になっていて、操作部２の信号伝達用のハーネス２０を通すことができるようになっている。そして、構造が一定になることで、操作部２のハーネス２０を前記のように通すとハーネス２０の経路長を一定にすることが可能になっている。
【００２０】
図１（Ｂ）は、ヒンジ部の切りかき形状について説明する図である。図１（Ｂ）は図１（Ａ）の画像形成装置本体４側と保持部材３の中間ヒンジ部の嵌合部を拡大して示している。
【００２１】
保持部材３の切り欠き開口５の切り欠き５ａと、中間ヒンジ７の突片部７ａに設けた切り欠き開口８とは、切り欠き５ａ、８ａ同士の位置が通常の中間ヒンジ７の回動領域では一致することのないように配置してある。
【００２２】
図示の例では、組み合わせる際は、切り欠き５ａ、８ａがそれぞれの切り欠き開口５、８の径方向で反対側に位置するように形成してある。切り欠き開口５の切り欠き５ａには、中間ヒンジ７を回動可能に保持するために切り欠き開口８の縁を引っ掛けける突起５ｂ、５ｂが一対設けててあり、いったん取り付けた中間ヒンジ７の突片部７ａが容易に外れないようにしてある。なお図１（Ｂ）は、外ネジ付きの貫通軸６の図示は省略してある。またなお、装置本体４側の切りかきと、中間ヒンジの切り欠きは通常回動領域では一致することのない様に配置するとハーネス２０がはさまったりし難く、装置本体４側での引っ掛けと、中間ヒンジ７側の切り欠き５は操作部２を装置本体４に組付けた状態においての通常の回動領域外に設けると円滑に回動しやすい。
【００２３】
このような状態で、図１（Ａ）に示すように、操作部２から導出された信号伝達用のハーネス２０を、
・操作部２のヒンジ１０の中空穴１０ａに取り付ける操作部２のボルト１２の穴、ワッシャ１３の穴、ヒンジ１０の中空穴１０ａを通し、
・ついで中間ヒンジ７の中空軸部９ａの穴、ボルト１２の穴、ワッシャ１３の穴、中間ヒンジ７の突片部７ａの切り欠き開口８を通し、
・最後に、保持部材３の切り欠き開口５を通してコネクタ２１に接続する。
【００２４】
なお、各部のネジによる嵌合などはハーネス２０を通した後のほうがやりやすいことはもちろんであるが、本発明の実施に当たってはこれに限定されず、途中まで組み立てた状態で通したり、完全に組み立てた後に通したりすることもできなくはない。
【符号の説明】
【００２５】
１：画像形成装置
２：操作部
３：保持部材
４：装置本体
５：切り欠き開口
５ａ：切り欠き
５ｂ：突起
６：貫通軸
７：中間ヒンジ
７ａ：突片部
７ｂ：曲折した部分
７ｃ：フランジ部
８：切り欠き開口
８ａ：切り欠き
９ａ、９ｂ：中空軸部
１０：ヒンジ
１０ａ，１０ｂ：中空穴
１２：ボルト
１３：ワッシャ
２０：ハーネス
２１：コネクタ
【先行技術文献】
【特許文献】
【００２６】
【特許文献１】特開２００７−１２７８４６号公報
【図１】
0005531681.tif 000002